(57)【要約】　【課題】ハウジングを大きくすることなく検知感度を向上させた転倒検知スイッチを提供する。　【解決手段】ボウル２とボウル２の上方を覆うカバー９とからなるハウジングＡ内に球体８を転動自在に収納してある。ボウル２の内周面２ａは水平断面が円形かつ下部ほど直径が小さくなる逆円錐状に形成され、ボウル２の底部には球体８より直径の小さい円形の保持孔４が開口する。また、ボウル２には保持孔４の開口面より下方に反射型フォトセンサ１が配置され、反射型フォトセンサ１と図示しない制御回路とにより光電スイッチを構成している。カバー９の内周面であって保持孔４との対向部位に下部ほど直径が小さくなる円錐形に突出した反射量減衰突起９ａが形成されている。【選択図】　　　図１
2004095560.tif 000002
【特許請求の範囲】
【請求項１】
　内周面の水平断面が円形状かつ下部ほど直径の小さいボウルが形成されたハウジングと、反射性材料よりなりボウルの底面に円形に開口している保持孔の直径よりも直径が大きくボウル内で転動可能な球体と、保持孔の開口面より下方に配置され光を上方に放射してその反射光の受光強度が所定値以上であると保持孔に球体が嵌まっていることを検出する反射型の光電スイッチとを備え、ハウジングはボウルの上方を覆うことによりボウルとともに球体を転動させる空間を囲むカバーを有し、カバーの内周面であって保持孔との対向部位には光電スイッチから光が照射されたときに反射光を拡散させるように下部ほど直径を小さくする円錐形に突出した反射量減衰突起が形成されて成ることを特徴とする転倒検知スイッチ。
【請求項２】
　前記カバーの内周面は略全面に亙って微小凹凸のシボを有することを特徴とする請求項１記載の転倒検知スイッチ。
【発明の詳細な説明】
【技術分野】
【０００１】
　本発明は、各種設備や各種器具に付設され転倒を検知する転倒検知スイッチに関するものである。
【背景技術】
【０００２】
　従来より転倒検知スイッチとして、図２に示すように、ボウル２とボウル２の上方を覆うカバー９とからなるハウジングＡ内に球体８を転動自在に収納したものがある（例えば、特許文献１、２参照）。
【０００３】
　ボウル２の上面（内周面）は水平断面が円形かつ下部ほど直径が小さくなる逆円錐状に形成され、ボウル２の底部には球体８より直径の小さい円形の保持孔４が開口する。また、図２に示した転倒検知スイッチは、ボウル２には保持孔４の開口面より下方に反射型フォトセンサ１が配置され、反射型フォトセンサ１と図示しない制御回路とにより光電スイッチを構成している。なお、反射型フォトセンサ１と前記制御回路とは入力側端子５および出力側端子６を介して接続される。
【０００４】
　光電スイッチは、反射型フォトセンサ１により光を上方に放射して、その反射光の反射型フォトセンサ１での受光強度が所定値以上であると保持孔４に球体８が嵌まっていることを検出し、ハウジングＡが傾いて球体８が保持孔４から外れると受光強度の減少によって検知出力を発生する。ここに、球体８が保持孔４に嵌まっているか否かに応じて受光強度の変化が大きくなるように球体８は反射性材料により形成される。
【０００５】
　以下、上記転倒検知スイッチの動作を説明する。
【０００６】
　上記構成の転倒検知スイッチを例えば設備に付設した場合、正常状態では、保持孔４に球体８が嵌まっており、反射型フォトセンサ１から放射された光は、球体８で反射され、その反射光は、反射型フォトセンサ１にて受光される。
【０００７】
　一方、設備が転倒すると、つまり、転倒検知スイッチが所定角度以上に傾くと、図２（ａ），（ｂ）に二点鎖線で示すように、球体８は保持孔４から飛び出すので、反射型フォトセンサ１から放射された光は保持孔４との対向部位のカバー９の内周面で反射され、その反射光が反射型フォトセンサ１にて受光される。このとき、カバー９の内周面からの反射光の強度は球体８からの反射光の強度より小さくなる。このため、光電スイッチは反射型フォトセンサ１で受光した反射光の強度の変化により球体８が保持孔４に嵌まっていないこと、つまり、転倒したことを検知する。
【特許文献１】実開平４−１１２４３６号公報（段落番号〔００１０〕、〔００１２〕、図１）
【特許文献２】特開平６−１９６０５９号公報（段落番号〔０００８〕、図１）
【発明の開示】
【発明が解決しようとする課題】
【０００８】
　しかしながら、上記転倒検知スイッチでは、カバー９の内周面はフラットな形状なので、図３に示すように、カバー９内部の球体８が転動した転倒状態となっても、保持孔４との対向部位のカバー９の内周面で反射され、その反射光が反射型フォトセンサ１にて受光される。このため、球体８が保持孔４に嵌まっているか否かによる反射型フォトセンサ１の出力比を大きくするためには、カバー９の内周面での反射光が影響しない程度（前記出力比が大きな値になる程度）に保持孔４との対向部位のカバー９の内周面と反射型フォトセンサ１との距離を確保する必要があり、結果的にハウジングＡが大きくなるという問題があった。
【０００９】
　本発明は上記事由に鑑みて為されたものであり、その目的は、ハウジングを大きくすることなく検知感度を向上させた転倒検知スイッチを提供することにある。
【課題を解決するための手段】
【００１０】
　請求項１の発明は、上記目的を達成するために、内周面の水平断面が円形状かつ下部ほど直径の小さいボウルが形成されたハウジングと、反射性材料よりなりボウルの底面に円形に開口している保持孔の直径よりも直径が大きくボウル内で転動可能な球体と、保持孔の開口面より下方に配置され光を上方に放射してその反射光の受光強度が所定値以上であると保持孔に球体が嵌まっていることを検出する反射型の光電スイッチとを備え、ハウジングはボウルの上方を覆うことによりボウルとともに球体を転動させる空間を囲むカバーを有し、カバーの内周面であって保持孔との対向部位には光電スイッチから光が照射されたときに反射光を拡散させるように下部ほど直径を小さくする円錐形に突出した反射量減衰突起が形成されて成ることを特徴とする。
【００１１】
　この発明によれば、カバーの内周面であって保持孔との対向部位に光電スイッチから光が照射されたときに反射光を拡散させるように下部ほど直径を小さくする円錐形に突出した反射量減衰突起が形成されて成るので、転倒時、光電スイッチから放射された光は反射量減衰突起により外方向へ反射され、カバーの内周面での反射光が光電スイッチではほとんど受光されず、ぞの結果、ハウジングを大きくすることなく転倒検知の感度が向上する。
【００１２】
　請求項２の発明は、請求項１の発明において、前記カバーの内周面は略全面に亙って微小凹凸のシボを有することを特徴とする。
【００１３】
　この発明によれば、転倒時に光電スイッチから放射された光を微小凹凸で乱反射させて前記光電スイッチで受光される反射光の強度を低下でき、その結果、請求項１の発明より更に転倒検知の感度が向上する。
【発明の効果】
【００１４】
　請求項１、２の発明は、転倒時、光電スイッチから放射された光は反射量減衰突起により外方向へ反射され、カバーの内周面での反射光が光電スイッチではほとんど受光されず、ぞの結果、ハウジングを大きくすることなく転倒検知の感度が向上するという効果がある。
【発明を実施するための最良の形態】
【００１５】
　以下、本発明の実施の形態を図面を参照して説明する。
【００１６】
　（実施の形態１）
　本転倒検知スイッチの基本構成は従来例で説明した図２と同じ構成であり、図１に示すように、ボウル２とボウル２の上方を覆うカバー９とからなるハウジングＡ内に球体８を転動自在に収納したものである。
【００１７】
　ボウル２の内周面（上面）２ａは水平断面が円形かつ下部ほど直径が小さくなる逆円錐状に形成され、ボウル２の底部には球体８より直径の小さい円形の保持孔４が開口する。また、ボウル２には保持孔４の開口面より下方に反射型フォトセンサ１が配置され、反射型フォトセンサ１と図示しない制御回路とにより光電スイッチを構成している。なお、反射型フォトセンサ１と前記制御回路とは入力側端子５および出力側端子６を介して接続される。
【００１８】
　また、転倒検知の動作原理も基本的には従来例と同じであり、本転倒検知スイッチの特徴とするところは、カバー９の内周面であって保持孔４との対向部位に下部ほど直径が小さくなる円錐形に突出した反射量減衰突起９ａが形成されていることにある。このため、転倒時に反射型フォトセンサ１から放射された光は、カバー９の反射量減衰突起９ａにより外方向へ反射されるので反射型フォトセンサ１で受光される反射光の強度を小さくするこができ、転倒検知の感度が向上する。
【００１９】
　（実施の形態２）
　本転倒検知スイッチの基本的な構成は図２に示した従来構造に準じ、特徴とするところは、実施の形態１で述べたカバー９の内周面の略全面に亙って微小凹凸のシボを有することにある。このため、転倒時に反射型フォトセンサ１から放射された光は、カバー９の内周面の微小凹凸により乱反射されるので、反射型フォトセンサ１で受光される反射光の強度を小さくするこができ、転倒検知の感度が実施の形態１より更に向上する。
【図面の簡単な説明】
【００２０】
【図１】本発明の実施の形態１を示す断面図である。
【図２】従来例を示し、（ａ）は水平断面図、（ｂ）は縦断面図、（ｃ）は右側面図である。
【図３】従来例の動作説明図である。
【符号の説明】
【００２１】
　１　反射型フォトセンサ
　２　ボウル
　２ａ　内周面
　４　保持孔
　５　入力側端子
　６　出力側端子
　８　球体
　９　カバー
　９ａ　反射量減衰突起
　Ａ　ハウジング
【図１】
2004095560.tif 000003
【図２】
2004095560.tif 000004
【図３】
2004095560.tif 000005